(57)【要約】【課題】基地局が使用すべきスクランブリングコードを自動設定することができる基地局および移動通信システムならびにスクランブリングコード設定方法を提供する。【解決手段】基地局に、基地局識別子と暫定的に割り当てられた暫定下りスクランブリングコードとを設定するスクランブリングコード設定手段と、暫定下りスクランブリングコードで、基地局識別子を拡散し、送信する送信手段とを備え、スクランブリングコード設定手段は、基地局識別子の受信報告に基づいて、恒久的な下りスクランブリングコードを決定することにより達成される。【選択図】図２
2006140829.tif 000002
【特許請求の範囲】
【請求項１】
隣接する複数のセルに所属する移動局と、前記セルを形成する各基地局とが同一周波数帯域を共有して通信を行う移動通信システムにおける、基地局であって：
基地局識別子と暫定的に割り当てられた暫定下りスクランブリングコードとを設定するスクランブリングコード設定手段；
前記暫定下りスクランブリングコードで、前記基地局識別子を拡散し、送信する送信手段；
を備え、
前記スクランブリングコード設定手段は、基地局識別子の受信報告に基づいて、恒久的な下りスクランブリングコードを決定することを特徴とする基地局。
【請求項２】
請求項１に記載の基地局において：
前記スクランブリングコード設定手段は、自局周辺に設置された周辺基地局の形成するセルに所属する移動局が、前記周辺基地局に送信する受信報告に基づいて、恒久的な下りスクランブリングコードを決定することを特徴とする基地局。
【請求項３】
請求項１または２に記載の基地局において：
前記送信手段は、暫定下りスクランブリングコードが設定されている場合に、移動局が接続するのを禁止するフラグを送信することを特徴とする基地局。
【請求項４】
請求項１ないし３のいずれか１項に記載の基地局において：
自局周辺に設置された周辺基地局のスクランブリングコードを示す周辺セルリスト；
を備え、
前記スクランブリングコード設定手段は、前記周辺セルリストに基づいて、恒久的な下りスクランブリングコードを決定することを特徴とする基地局。
【請求項５】
請求項４に記載の基地局において：
前記周辺セルリストを更新するセルリスト更新手段；
を備えることを特徴とする基地局。
【請求項６】
請求項５に記載の基地局において：
前記スクランブリングコード設定手段は、自局が撤去される場合に、設定した基地局識別子と下りスクランブリングコードとを返納し、
前記セルリスト更新手段は、下りスクランブリングコードの返納に基づいて、周辺セルリストを更新することを特徴とする基地局。
【請求項７】
隣接する複数のセルに所属する移動局と、前記セルを形成する各基地局とが同一周波数帯域を共有して通信を行う移動通信システムであって：
基地局識別子と暫定的に割り当てられた暫定下りスクランブリングコードとを設定するスクランブリングコード設定手段；
前記暫定下りスクランブリングコードで、前記基地局識別子を拡散し、送信する送信手段；
を備え、
前記スクランブリングコード設定手段は、基地局識別子の受信報告に基づいて、恒久的な下りスクランブリングコードを決定することを特徴とする移動通信システム。
【請求項８】
隣接する複数のセルに所属する移動局と、前記セルを形成する各基地局とが同一周波数帯域を共有して通信を行う移動通信システムにおける、スクランブリングコード設定方法であって：
基地局識別子と暫定的に割り当てられた暫定下りスクランブリングコードとを設定するステップ；
前記暫定下りスクランブリングコードで、前記基地局識別子を拡散し、送信するステップ；
基地局識別子の受信報告に基づいて、恒久的な下りスクランブリングコードを決定するステップ；
決定されたスクランブリングコードを設定するステップ；
を有することを特徴とするスクランブリングコード設定方法。
【請求項９】
請求項８に記載のスクランブリングコード設定方法において：
前記決定するステップは、自局周辺に設置された周辺基地局の形成するセルに所属する移動局が、前記周辺基地局に送信する受信報告に基づいて、恒久的な下りスクランブリングコードを決定するステップを有することを特徴とするスクランブリングコード設定方法。
【請求項１０】
請求項８または９に記載のスクランブリングコード設定方法において：
前記決定するステップは、自局周辺に設置された周辺基地局のスクランブリングコードを示す周辺セルリストに基づいて、恒久的な下りスクランブリングコードを決定するステップ；
を有することを特徴とするスクランブリングコード設定方法。
【発明の詳細な説明】
【技術分野】
【０００１】
本発明は、同一周波数帯域を符号分割多元接続方式によりユーザ間で共有して使用するＣＤＭＡセルラシステムにおける基地局および移動通信システム並びにスクランブリングコード設定方法に関する。
【背景技術】
【０００２】
符号分割多元接続方式を用いて同一周波数帯域を複数の通信波で共有する通信システムにおいては、個々の通信波はランダムな符号系列である拡散コードにより区別される。拡散コードは検出特性（自己相関特性）および異なる拡散コード間の識別特性（相互相関特性）が良いほどシステム効率が向上する。このため、系列長で決まる全てのランダムな符号組合せを用いることは無く、所要特性を得る符号系列を選択して用いる。したがって、高いシステム効率が求められる場合には拡散コードは限定され、割当可能な拡散コード数はシステムが想定する全同時通信波数を下回る。
【０００３】
特に、Ｗ−ＣＤＭＡセルラシステムの下り回線で用いる拡散コードには、高い検出特性や識別特性に加えて、低送信電力でも高品質な通信を実現するために異なる拡散コード間の相互干渉を低減できる符号直交性が求められる。このため、割当可能な拡散コード数は上り回線よりも少なくなる。この少数の拡散コードは有効利用のため全セルで繰返し使用されるが、セル間での混信を防ぐため、セル毎に異なるコードを重畳して用いる。
【０００４】
Ｗ−ＣＤＭＡセルラシステムでは、ユーザのデータを実際に広帯域拡散する拡散コードをチャネライゼーションコード、セル毎に重畳するセル間混信防止用のコードをスクランブリングコードと呼んでいる。
【０００５】
セルを区別するスクランブリングコード数も無限ではなく、Ｗ−ＣＤＭＡセルラシステムにおいても５１２種類が規定されているのみであり、混信を防ぐため同一種のスクランブリングコードが近距離で使われないように設定される必要がある。従来は、基地局の位置や装置・アンテナ構成を設定した計算機シミュレーションにより、基地局ごとに電波の到達エリアを推定し、到達エリアがオーバラップする基地局同士に同一種のスクランブリングコードが設定されないように、計算機の支援を受けながら無線ネットワーク設計者が手動で設定していた。このため、トラヒックの増加に対応して新たに基地局を設置する場合には、設計者が設定を再実施する必要があった。
【０００６】
また、計算機シミュレーションの推定に基づいてスクランブリングコードが設定されるため、実際の現場と電波の到達エリアに誤差が生じた場合、同一種のスクランブリングコード間に混信が発生して、設定をやり直す必要がある。したがって、これらの作業には多大な時間、設計者の労力、現場確認者の手間が費やされる。
【０００７】
これを解決するため、基地局で使用する下りスクランブリングコードを自動的に決定する方法が示されている（例えば、特許文献１参照）。この方法では、最初に、Ｗ−ＣＤＭＡセルラシステムの基地局が、周辺の基地局の送信する下り回線無線信号を受信してその制御チャネルを特定して復調することで、既に周辺基地局で使用されている下りスクランブリングコードを判別する。基地局制御装置は、その判別結果を元に該基地局で使用する下りスクランブリングコードを自動的に決定する。
【０００８】
この方法では、基地局において下り回線を受信することが特徴である。基地局は下り周波数帯域を受信するためのフィルタ、受信機復調部、下り回線の制御チャネルを特定し、かつ、スクランブリングコードやチャネライゼーションコードを判別する処理部を備える。基地局制御装置は、基地局により判別された周辺基地局で使用済みの下りスクランブリングコードよりも上位の番号の下りスクランブリングコードを設定する。このようにすることにより、隣接する基地局同士に同一種の下りスクランブリングコードが設定されないようにしている。
【特許文献１】特開２００２−２１８５２８号公報
【発明の開示】
【発明が解決しようとする課題】
【０００９】
しかしながら、上述した背景技術には以下の問題がある。
【００１０】
下りスクランブリングコードを自動的に決定する方法では、基地局において、周辺基地局から送信される下り回線の制御チャネルを特定するための受信機やフィルタが必要になる問題がある。通常の基地局に具備されている上り回線の受信機の受信周波数と、下り回線の周波数は数十ＭＨｚ以上隔離されているため、発振器や増幅器、受信フィルタなどを両周波数に対応させる必要があり受信機の規模が増大する。
【００１１】
また、上下回線では制御チャネルのフレーム構成や同相チャネル（Ｉｃｈ）、直交チャネル（Ｑｃｈ）への多重方法、使用されるスクランブリングコードが異なるため、装置またはソフトウェアの規模が増大する問題がある。
【００１２】
また、自基地局が送信する下り回線信号が、周辺基地局の下り回線を受信する際の強力な干渉源となるため、送信アンテナと受信アンテナとを別々に設けて隔離するなどの対策が必要になり、アンテナ規模が増大する問題がある。
【００１３】
次に、下りスクランブリングコードを自動的に決定する方法では、下りスクランブリングコードの設定と深い関連を持つ周辺セルリスト（ネイバリスト）の考慮がなされていない問題がある。
【００１４】
それぞれの基地局は、移動局がセル検出を高速に行えるように、その周辺基地局が使用している下りスクランブリングコードを周辺セルリストとして制御チャネルを用いて報知している。ある基地局に下りスクランブリングコードを割当てる場合には、その基地局の隣接の基地局で使用されている下りスクランブリングコードの選択を避けるだけでなく、隣接基地局の周辺セルリストに記載されている下りスクランブリングコードも選ばないようにしなければならない。これは、隣接基地局の形成するセルに所属する移動局が、基地局識別子の異なる２つの同一種の下りスクランブリングコードを同時に観測すると、それらを送信する２つの基地局を正しく区別できなくなるからである。
【００１５】
また、下りスクランブリングコードを自動的に決定する方法には、基地局を撤去した時の下りスクランブリングコードの解放処理や周辺セルリストの更新方法が含まれていない問題がある。したがって、基地局が撤去された場合に周辺セルリストの更新が行われず、移動局のセル検出速度が低下する可能性がある。
【００１６】
そこで、本発明の目的は、基地局が使用すべきスクランブリングコードを自動設定することができる基地局および移動通信システム並びにスクランブリングコード設定方法を提供することにある。
【課題を解決するための手段】
【００１７】
上記課題を解決するため、本発明の基地局は、隣接する複数のセルに所属する移動局と、セルを形成する各基地局とが同一周波数帯域を共有して通信を行う移動通信システムにおける、基地局であって、基地局識別子と暫定的に割り当てられた暫定下りスクランブリングコードとを設定するスクランブリングコード設定手段と、暫定下りスクランブリングコードで、基地局識別子を拡散し、送信する送信手段とを備え、スクランブリングコード設定手段は、基地局識別子の受信報告に基づいて、恒久的な下りスクランブリングコードを決定する。
【００１８】
このように構成することにより、使用すべきスクランブリングコードを、周辺セルとの間に混信が生じないように適切に自動設定できる。
【００１９】
また、本発明の移動通信システムは、隣接する複数のセルに所属する移動局と、セルを形成する各基地局とが同一周波数帯域を共有して通信を行う移動通信システムであって、基地局識別子と暫定的に割り当てられた暫定下りスクランブリングコードとを設定するスクランブリングコード設定手段と、暫定下りスクランブリングコードで、基地局識別子を拡散し、送信する送信手段とを備え、スクランブリングコード設定手段は、基地局識別子の受信報告に基づいて、恒久的な下りスクランブリングコードを決定する。
【００２０】
このように構成することにより、基地局が使用すべきスクランブリングコードを、周辺セルとの間に混信が生じないように適切に自動設定できる。
【００２１】
また、本発明のスクランブリングコード設定方法は、隣接する複数のセルに所属する移動局と、セルを形成する各基地局とが同一周波数帯域を共有して通信を行う移動通信システムにおける、スクランブリングコード設定方法であって、基地局識別子と暫定的に割り当てられた暫定下りスクランブリングコードとを設定するステップと、暫定下りスクランブリングコードで、基地局識別子を拡散し、送信するステップと、基地局識別子の受信報告に基づいて、恒久的な下りスクランブリングコードを決定するステップと、決定されたスクランブリングコードを設定するステップとを有する。
【００２２】
このようにすることにより、使用すべきスクランブリングコードを、周辺セルとの間に混信が生じないように適切に自動設定できる。
【発明の効果】
【００２３】
本発明の実施例によれば、基地局が使用すべきスクランブリングコードを自動設定することができる基地局および移動通信システム並びにスクランブリングコード設定方法を実現できる。
【発明を実施するための最良の形態】
【００２４】
次に、本発明の実施例について図面を参照して説明する。
なお、実施例を説明するための全図において、同一機能を有するものは同一符号を用い、繰り返しの説明は省略する。
【００２５】
本発明の実施例にかかる無線アクセスネットワークの構成例について、図１を参照して説明する。
【００２６】
本実施例にかかる無線アクセスネットワークは、隣接する複数のセルにおいて、セルに所属する移動局とセルを形成する各基地局が同一周波数帯を共有して通信を行うＣＤＭＡ(Code Division Multiple Access)セルラシステムであり、基地局１００と基地局制御局２００とを備える。例えば、基地局１００１〜１００３と、基地局制御局２００１および２００２を備え、セルの基地局毎に異なるスクランブリングコードと周辺セルリストを設定する。また、本実施例にかかる無線アクセスネットワークは、ＣＤＭＡのＦＤＤ(frequency division duplex)方式とＴＤＤ（Time division duplex）方式を想定している。
【００２７】
各基地局１００１、１００２および１００３は基地局制御局２００１および２００２のいずれかに収容される。図１では、当初は、基地局１００１および１００２が基地局制御局２００１に、基地局１００３が基地局制御局２００２に収容される。その後、基地局１００４が新設され、基地局制御局２００１に収容される。
【００２８】
基地局制御局２００１および２００２は基地局制御局間網、もしくは、基地局制御局を収容する上位の交換機（図示なし）を通じて相互に接続される。また、基地局制御局２００は、各々が収容する基地局の周辺セルリストを保持し、その内容について相互に照会することができる。また、基地局識別子などのシステム全体で一意性を保持する必要があるものについてはサーバ等を設けて管理し、基地局制御局からの照会が可能である。
【００２９】
次に、基地局１００の構成について、図２を参照して説明する。
【００３０】
本実施例にかかる基地局１００は、送信部１０２と、受信部１０４と、送信部１０２および受信部１０４と接続されたスクランブリングコード設定部１０６と、スクランブリングコード設定部１０６と接続された記憶部１０８とを備える。
【００３１】
基地局制御局２００から基地局識別子と暫定的に割り当てられた新設局専用の下りスクランブリングコードが受信部１０４により受信され、新設局専用の下りスクランブリングコードがスクランブリングコード設定部１０６において設定される。送信部１０２は、設定されたスクランブリングコードで拡散した制御チャネルにより基地局識別子の送信を開始する。また、受信部１０４は、基地局制御局２００により割り当てられた恒久的な下りスクランブリングコードを受信し、スクランブリングコード設定部１０６は、暫定的に割り当てられた新設局専用の下りスクランブリングコードを恒久的なスクランブリングコードに更新する。
【００３２】
次に、本実施例にかかる基地局制御局２００の構成について説明する。
【００３３】
本実施例にかかる基地局制御局２００は、スクランブリングコード設定手段としてのスクランブリングコード割り当て部２０２と、周辺セルリスト更新部２０４と、スクランブリングコード割り当て部２０２および周辺セルリスト更新部２０４と接続された記憶部２０６とを備える。
【００３４】
スクランブリングコード割り当て部２０２は、基地局１００が新設された場合に、基地局識別子と暫定的および恒久的な下りスクランブリングコードを割り当てる。
【００３５】
周辺セルリスト更新部２０４は、周辺セルリストの更新を行う。記憶部２０６は、周辺セルリストを記憶する。
【００３６】
次に、基地局が新設される場合の基地局１００と基地局制御局２００との信号やり取りについて、図４を参照して説明する。
【００３７】
新設基地局１００４は、基地局制御局２００１と物理的に結線されて電源が投入されると、基地局制御局２００１に対して基地局識別子と暫定的なスクランブリングコード（Ｓｃ）を割り当てるように要求する（ステップＳ４０２）。基地局制御局２００１のスクランブリングコード割り当て部２０２は、割り当て可能な基地局識別子をサーバに問い合わせ、システムに予め設定されている新設局専用のスクランブリングコードの中からランダムに選択し、新設基地局１００４に基地局識別子と暫定的なスクランブリングコードを付与する（ステップＳ４０４）。その後、新設基地局１００４は制御チャネルを送信することが可能になるが、セル全体にシステム情報を報知する共通制御チャネルにおいて、移動局が接続するのを禁止するフラグを送信する（ステップＳ４０６）。このため、移動局は新設基地局１００４の制御チャネルを受信し、基地局識別子やスクランブリングコードを同定することは可能になるが、新設基地局１００４を通じた接続（発着信）は禁止される。
【００３８】
次に、新設基地局１００４が基地局識別子と暫定的なスクランブリングコードを割り当てられた直後の各基地局１００の周辺セルリストについて、図５を参照して説明する。
【００３９】
周辺セルリストは基地局毎に設定され、基地局制御局２００の記憶部２０６に記憶される。周辺セルリストは、当該基地局の周辺に存在する基地局の識別子やスクランブリングコード等の優先順位付リストであり、設定可能な基地局数はシステムにより、例えば３２に制限される。
【００４０】
通常、周辺セルリストは基地局制御局２００で保持されるが、基地局１００の記憶部１０８に保持することも可能である。
【００４１】
既設基地局１００１の周辺セルリストには、スクランブリングコードがＳｃ＃ａ、基地局識別子がＢＳｉｄ＃ａである基地局や、スクランブリングコードがＳｃ＃ｂ、基地局識別子がＢＳｉｄ＃ｂである基地局が設定され、さらに、スクランブリングコードがＳｃ＃１、基地局識別子がＢＳｉｄ＃１である自基地局１００１が記載される。
【００４２】
既設基地局１００２の周辺セルリストには、スクランブリングコードがＳｃ＃３、基地局識別子がＢＳｉｄ＃３である基地局や、スクランブリングコードがＳｃ＃ｃ、基地局識別子がＢＳｉｄ＃ｃである基地局が設定され、さらに、スクランブリングコードがＳｃ＃２、基地局識別子がＢＳｉｄ＃２である自基地局１００２が記載される。
【００４３】
既設基地局１００３の周辺セルリストには、スクランブリングコードがＳｃ＃２、基地局識別子がＢＳｉｄ＃２である基地局や、スクランブリングコードがＳｃ＃ｄ、基地局識別子がＢＳｉｄ＃ｄである基地局が設定され、さらに、スクランブリングコードがＳｃ＃３、基地局識別子がＢＳｉｄ＃３である自基地局１００３が記載される。
【００４４】
新設基地局１００４の周辺セルリストには、初期状態として自基地局１００４の暫定スクランブリングコードＳｃ＃ｔｍｐと基地局識別子ＢＳｉｄ＃ｎｅｗが記載される。
【００４５】
次に、新設基地局１００４に隣接する既設基地局１００１、１００２および１００３が形成するセルに所属する移動局３００１、３００２、３００３および３００４が新設基地局の測定結果を報告する様子について、図６を参照して説明する。
【００４６】
既設基地局１００１のセルに属する移動局ＭＳ３００１は新設基地局１００４の共通制御チャネルの受信が可能な場所に位置し、ハンドオーバ等を検出するための通常の測定動作により新設基地局１００４の基地局識別子とスクランブリングコード、受信レベル等を既設基地局１００１に報告する。
【００４７】
同様に、移動局ＭＳ３００２は既設基地局１００２に、移動局ＭＳ３００３は既設基地局１００３に測定結果を報告する。ただし、移動局ＭＳ３００４は新設基地局１００４のみに所属するため、接続禁止フラグが報知されている新設基地局１００４には接続することができず、報告は行えない。移動局３００１、３００２および３００３から報告された測定結果は、各基地局１００を介して上位の基地局制御局２００に転送される。
【００４８】
このように、本実施例においては、新設基地局のスクランブリングコード設定に際し、新設基地局の隣接セルに所属する移動局が隣接セルを形成する既設基地局に新設基地局の存在を通知し、基地局制御局に蓄積されたそれら隣接関係から設定可能なコードが選択される。また、移動局における新設基地局の共通制御チャネルの受信を高速化するために、システムに予め設定されている新設局専用のスクランブリングコードを基地局の周辺セルリストに共通的に設定してもよい。
【００４９】
このようにすることにより、新設基地局のスクランブリングコード設定に際し、隣接セルを形成する既設基地局の検出を移動局における通常の測定動作の一環として行わせることができ、基地局側に測定機能を持たせる必要がない。この方法は、新設基地局自らが隣接セルを形成する既存基地局を直接測定することで隣接関係を検知し、それらが使用するコードを同定することで設定可能なコードを選択する方法とは異なる。
【００５０】
また、基地局相互の可視性により隣接関係の検出を行う場合には、基地局相互で可視であってもサービスエリアではセルが隣接しない場合や、逆に、可視で無くてもサービスエリア内でセルが隣接する場合が生ずることから正しい隣接関係の検出が行えず、新設基地局に適切なスクランブリングコードが選択されない可能性がある。しかし、本実施例においては、移動局によるサービスエリアに基づいた隣接関係の検出が行われるため、このような問題がない。
【００５１】
次に、移動局３００の構成および移動局３００から基地局１００に報告される情報（測定報告）について、図７Ａおよび図７Ｂを参照して説明する。
【００５２】
移動局３００は、図７Ａに示すように、スクランブリングコード、基地局識別子測定部３０２を備える。スクランブリングコード、基地局識別子測定部３０２は、基地局１００の基地局識別子、スクランブリングコード、受信レベル等を測定し、既設基地局１００に報告する。
【００５３】
移動局３００のスクランブリングコード、基地局識別子測定部３０２は新設基地局１００４以外にも同時に測定することのできた周辺の基地局の情報を報告するが、ここでは説明の都合上、新設基地局のみを示す。
【００５４】
移動局ＭＳ３００１、３００２および３００３のスクランブリングコード、基地局識別子測定部３０２は、図７Ｂに示すように、基地局１００１、１００２および１００３宛に、新設された基地局１００４の暫定スクランブリングコードＳｃ＃ｔｍｐと基地局識別子ＢＳｉｄ＃ｎｅｗを、測定報告として送信する。各基地局１００１、１００２および１００３は、送信された測定報告を基地局制御局２００に転送する。
【００５５】
また、移動局ＭＳ３００のスクランブリングコード、基地局識別子測定部３０２は、基地局識別子やスクランブリングコード以外にも受信レベルや制御チャネルの到達時間差などを報告するようにしてもよい。
【００５６】
基地局制御局２００は、スクランブリングコード割り当て部２０２において、基地局１００から転送されてきた測定報告に、システムで規定する新設基地局専用の暫定スクランブリングコードが含まれていることを確認すると、連携して新設基地局の周辺セルリストを更新し、恒久的なスクランブリングコードを割り当てる。
【００５７】
最初に、各基地局制御局は、新設基地局１００４の基地局識別子から新設基地局を収容する基地局制御局を割り出し、測定報告と転送元の基地局の周辺セルリストを組にして、新設基地局を収容する基地局制御局に転送する。各基地局制御局が、新設基地局が所属する基地局制御局、例えば２００１に転送する情報を図８に示す。基地局制御局２００１のスクランブリングコード割り当て部２０２では、転送された隣接基地局の周辺セルリストを合成して新設基地局の周辺セルリストを生成する。
【００５８】
図９に、スクランブリングコード割り当て部２０２において生成した新設基地局１００４の周辺セルリストを示す。周辺セルリストの優先順位の最上位には周辺セルリストを送付してきた隣接基地局のスクランブリングコードと基地局識別子とが記載される。その下位に、隣接基地局の周辺セルリストに記載された周辺基地局が記載される。ここで、優先順位は出現回数が大きいものをより上位とするのが望ましい。最後に、新設基地局のスクランブリングコードと基地局識別子が記載される。
【００５９】
この段階の周辺セルリストを参照すると新設基地局の周辺の基地局で既に使用されているスクランブリングコードが総覧できる。したがって、周辺セルリスト内に存在しないスクランブリングコードを新設基地局の恒久的なスクランブリングコード（Ｓｃ＃ｎｅｗ）として任意に選択することができる。スクランブリングコード割り当て部２０２は、恒久的なスクランブリングコードを選択し、選択した恒久的なスクランブリングコードを新設基地局１００４に通知する。基地局１００４のスクランブリングコード設定部１０６は、暫定的なスクランブリングコードを恒久的なスクランブリングコードに更新する。
【００６０】
ここで、周辺セルリストに記載可能な基地局数は有限であるので、合成されたセルリストに記載される基地局数が上限を超える場合には、スクランブリングコード割り当て部２０２は、自基地局の項を残して優先順位の低い項を削除し、削除した優先順位の低いスクランブリングコードを恒久的なスクランブリングコードとして選択する。こうして、新設基地局の恒久的なスクランブリングコードと周辺セルリストとが確定する。
【００６１】
新設基地局１００４の恒久的なスクランブリングコードの決定後、隣接する基地局の周辺セルリストの更新が行われる。
【００６２】
新設基地局１００４を収容する基地局制御局２００１のスクランブリングコード割り当て部２０２は、新設基地局１００４に対する測定報告を送付してきた基地局１００１〜１００３を収容する基地局制御局２００１および２００２に、図１０に示す周辺セルリスト更新要求を送信することにより新設基地局のスクランブリングコードを通知し、周辺セルリスト更新要求を行う。
【００６３】
周辺セルリスト更新要求を受信した基地局制御局２００の周辺セルリスト更新部２０４は周辺セルリスト更新要求に基づき、周辺セルリストの更新を行う。その結果、各基地局制御局２００の記憶部２０６に記憶される周辺セルリストには、例えば、最上位に新設基地局のスクランブリングコードと基地局識別子が追加される。
【００６４】
この処理の完了により、新設基地局１００４がサービス可能な状態となり、共通制御チャネルの接続禁止フラグを解除して移動局ＭＳ３００４の接続を許可して、既設基地局と同等になる。
【００６５】
このように、本実施例においては、新設基地局のスクランブリングコード設定に際し、周辺セルリストを考慮したスクランブリングコード設定、ならびに、周辺セルリストの更新が行われる。新設基地局のスクランブリングコードを設定する場合には、隣接セルを形成する既設基地局と同一のコードの使用を避けるだけでなく、それら既設基地局の周辺セルリストに記載されるコードの使用も避ける必要がある。これを守らないと、次隣接のセル（隣接セルの更に隣接するセル）同士において同一のスクランブリングコードが使用される可能性が発生し、それらの中間に位置するセルを形成する基地局の周辺セルリストにはスクランブリングコードが同一な２つの基地局を隣接基地局として登録することがシステム的に不可能であることから、登録されない方の基地局がシステムに組み込まれずに干渉源となる。したがって、周辺セルリストを考慮してスクランブリングコード設定、ならびに周辺セルリストの更新を行うことによりシステム容量や通信品質の劣化を防止することができる。
【００６６】
次に、新設基地局の恒久的なスクランブリングコードを決定し、周辺セルリストの更新を行う処理に関わるネットワーク構成要素間の信号やり取りについて、図１１を参照して説明する。
【００６７】
新設基地局１００４は接続禁止フラグの設定された共通制御チャネルを送信している（ステップＳ１１０２）。新設基地局１００４の形成するセルに所属する移動局ＭＳ３００４は発着信ができないが（ステップＳ１１０４）、隣接する既設基地局１００１〜１００３のセルに所属し、かつ、新設基地局１００４の共通制御チャネルを受信可能な移動局ＭＳ３００１〜３００３は、新設基地局１００４のスクランブリングコードと基地局識別子とを同定し、所属する既設基地局１００１〜１００３に報告する（ステップＳ１１０６、ステップＳ１１１０、ステップＳ１１１４）。既設基地局１００１〜１００３は、自基地局を収容する基地局制御局２００１および２００２に測定報告を転送する（ステップＳ１１０８、ステップＳ１１１２、ステップＳ１１１６）。
【００６８】
基地局制御局２００２は、測定報告と転送元基地局の周辺セルリストとを組にして、基地局識別子から検出した新設基地局１００４を収容する基地局制御局２００１に送付する（ステップＳ１１１８）。
【００６９】
基地局制御局２００１のスクランブリングコード割り当て部２０２では、新設基地局１００４の周辺セルリストを生成し、それを用いて重複が無いように恒久的なスクランブリングコードを決定する（ステップＳ１１２０）。また、スクランブリングコード割り当て部２０２は、新たに決定された恒久的なスクランブリングコードを新設基地局１００４に通知し、（ステップＳ１１２２）、また、隣接する既設基地局１００１および１００２の周辺セルリストにそれを追加し、更新する（ステップＳ１１２６）。
【００７０】
また、基地局制御局２００１のスクランブリングコード割り当て部２０２は、基地局制御局２００２に周辺セルリスト更新要求を送信する（ステップＳ１１２４）。基地局制御局２００２は、既設基地局１００３の周辺セルリストの更新を行い（ステップＳ１１２８）、周辺セルリスト更新完了を基地局制御局２００１に通知する（ステップＳ１１３０）。
【００７１】
次に、基地局制御局２００１は新設基地局１００４に共通制御チャネルで報知していた接続禁止フラグの設定を解除する命令を送信する（ステップＳ１１３２）。新設基地局１００４は、自局の形成するセルに所属する移動局１００４に対し、接続許可を示す共通制御チャネルを送信する（ステップＳ１１３４）。その結果、新設基地局１００４の形成するセルに所属する移動局１００４が新設基地局１００４に接続可能となる（ステップＳ１１３６）。
【００７２】
次に、既設基地局が削除される場合について、図１２を参照して説明する。
【００７３】
最初、基地局１００１、１００２および１００４は基地局制御局２００１に収容され、基地局１００３は基地局制御局２００２に収容される。その後、基地局制御局２００１に収容される基地局１００４が撤去される。
【００７４】
次に、基地局が撤去される処理について、この処理が行われる際のネットワーク構成要素間の信号やり取り処理について、図１３を参照して説明する。
【００７５】
撤去する基地局１００４において基地局撤去処理が開始されると（ステップＳ１３０２）、最初に、共通制御チャネルにおいて接続禁止フラグを設定し（ステップＳ１３０４）、新たな移動局の接続を禁止する（ステップＳ１３０６）。例えば、基地局１００４のセルに属する移動局ＭＳ３００４の接続が禁止される。
【００７６】
撤去基地局１００４は、既に通信中の移動局の終話を待って、基地局識別子と恒久的なスクランブリングコードの返納を基地局制御局２００１に要求する（ステップＳ１３０８）。基地局制御局２００１は撤去される基地局１００４の周辺セルリストに記載される基地局を収容する各基地局制御局、例えば基地局制御局２００２に対して、その基地局の周辺セルリストから撤去基地局１００１の項を削除し、更新するように要求する（ステップＳ１３１０）。基地局制御局２００２は、周辺セルリストから撤去基地局１００１の項を削除し、更新する（ステップＳ１３１４）。次に、基地局制御局２００２は、周辺セルリスト更新完了を示す通知を基地局制御局２００１に対して行う（ステップＳ１３１８）。
【００７７】
一方、基地局制御局２００１は、周辺セルリストから撤去基地局１００１の項を削除し、更新する（ステップＳ１３１２）。次に、基地局制御局２００１は、撤去される基地局自身の周辺セルリストを基地局制御局内から削除する（ステップＳ１３１６）。図１４に周辺セルリストから撤去基地局の項が削除される様子を示す。
【００７８】
周辺セルリストの更新が完了すると、撤去基地局１００４を収容する基地局制御局２００１は撤去基地局１００４に対して基地局識別子、恒久スクランブリングコード返納の完了を通知して、共通制御チャネルを停波させる（ステップＳ１３２０）。
【００７９】
撤去基地局１００４はその他の処理を終えた後、電源を遮断して基地局撤去処理を完了する（ステップＳ１３２２）。
【００８０】
上述した実施例においては、基地局の上位に基地局制御局が介在する場合について説明したが、基地局制御局の機能を各基地局が分散して行ってもよく、その場合、基地局制御局は必ずしも必要ではない。
【００８１】
また、上述した実施例によれば、スクランブリングコードを決定しようとする基地局に暫定的なスクランブリングコードを設定し、隣接セルに所属する移動局が通常動作として行った測定結果をセル間の隣接関係として基地局制御局に集中する。さらに、自基地局の周辺セルリストを自動形成し、周辺基地局の周辺セルリストを自動更新する。すなわち、下りスクランブリングコードの自動割当に際して、移動局からの通常の測定報告を用いるので、従来方法のように基地局において周辺基地局から送信される下り回線の制御チャネルを特定する必要が無いため、基地局やソフトウェア、アンテナの規模を増大させる必要がない。
【００８２】
また、割り当てるスクランブリングコードの決定に際して周辺セルリストを考慮するため、同一種のスクランブリングコードが近距離で使用される機会を抑制し、混信が生ずるのを防ぐことができる。また、スクランブリングコードの割当てと同時に周辺セルリストを適切に生成するため、移動局がセル検出を高速に行えるようになり、ハンドオーバ時の通信品質が向上すると同時に与干渉が減少してシステム容量が増大する。
【００８３】
また、基地局が撤去された時には、スクランブリングコードが返納され、周辺基地局の周辺セルリストからも撤去基地局を含む情報が削除されることから、スクランブリングコードを繰返し有効利用でき、常に移動局のセル検出動作を高速に維持することができる。
【００８４】
また、無線ネットワーク設計者が計算機シミュレーションの結果を用いて手動でスクランブリングコードや周辺セルリストを設定する必要が無く、また、移動局が実際のサービスエリア内で行った測定報告に基づいているので、電波の到達エリアの推定誤差による再設定が生じない。このことは、設計に要する時間や、計算機資源などを大幅に節約することができ、効果は大きいと言える。
【産業上の利用可能性】
【００８５】
本発明にかかる基地局および移動通信システム並びにスクランブリングコード設定方法は、同一周波数帯域を符号分割多元接続方式によりユーザ間で共有して使用するＣＤＭＡセルラシステムに適用できる。
【図面の簡単な説明】
【００８６】
【図１】本発明の一実施例にかかる基地局が新設される場合の無線アクセスネットワークの構成を示す説明図である。
【図２】本発明の一実施例にかかる基地局の構成を示すブロック図である。
【図３】本発明の一実施例にかかる基地局制御局の構成を示すブロック図である。
【図４】本発明の一実施例にかかる基地局が新設される場合の処理を示すシーケンス図である。
【図５】基地局新設当初の各基地局の周辺セルリストを示す説明図である。
【図６】移動局による測定報告が行われる様子を示す説明図である。
【図７Ａ】本発明の一実施例にかかる移動局の構成を示すブロック図である。
【図７Ｂ】移動局から基地局に報告される情報を示す説明図である。
【図８】新設基地局を収容する基地局制御局に転送する情報を示す説明図である。
【図９】新設基地局における周辺セルリストを生成し、スクランブリングコードを決定する処理を示す説明図である。
【図１０】既設基地局における周辺セルリスト更新処理を示す説明図である。
【図１１】スクランブリングコードを決定し、周辺セルリストを更新する処理を示すシーケンス図である。
【図１２】本発明の一実施例にかかる基地局を撤去する場合の無線アクセスネットワークを示す説明図である。
【図１３】基地局を撤去する場合の処理を示すシーケンス図である。
【図１４】撤去基地局を収容する基地局制御局に転送する情報を示す説明図である。
【符号の説明】
【００８７】
１００、１００１、１００２、１００３、１００４  基地局
２００、２００１、２００２  基地局制御局
３００、３００１、３００２、３００３、３００４  移動局
【図１】
2006140829.tif 000003
【図２】
2006140829.tif 000004
【図３】
2006140829.tif 000005
【図４】
2006140829.tif 000006
【図５】
2006140829.tif 000007
【図６】
2006140829.tif 000008
【図７Ａ】
2006140829.tif 000009
【図７Ｂ】
2006140829.tif 000010
【図８】
2006140829.tif 000011
【図９】
2006140829.tif 000012
【図１０】
2006140829.tif 000013
【図１１】
2006140829.tif 000014
【図１２】
2006140829.tif 000015
【図１３】
2006140829.tif 000016
【図１４】
2006140829.tif 000017